(57)【要約】  流体送達システムに接続し、流体を装置内に受容するための装置。装置の一部は、内部に受容される流体容積または圧力に適応するために形状またはサイズの変化を可能にする。装置は、キャビティを有するハウジングと、開口部および通路を有する拡張可能なリザーバと、キャップとを含む。拡張可能なリザーバは、キャビティ内に位置決めされ、流体源に接続される。拡張可能なリザーバは、内部の流体容積または圧力が閾値を下回るときの非拘束配向と、内部の流体容積または圧力が閾値を上回るときの拡張配向とを含む。拡張可能なリザーバは、拡張配向に向かって移動し、開口部を通して受容される流体容積または圧力に適応し、拡張可能なリザーバは、非拘束配向に向かって移動し、開口部を通して流体容積または圧力を向ける。
2021502161.tif 000002
【特許請求の範囲】
【請求項１】
ハウジングであって、キャビティ、および前記キャビティから前記ハウジングの第１の部分を通って前記ハウジングの外面に延びる第１のチューブ通路を備えるハウジングと、
前記ハウジングの第２の部分に接続されたキャップであって、前記キャビティから前記キャップの外面を通って延びる第２のチューブ通路を備えるキャップと、
第１の開口部と第２の開口部との間に延びる通路を備える拡張可能なリザーバであって、前記第１の開口部が前記第１のチューブ通路と整列し、前記第２の開口部が前記第２のチューブ通路と整列した状態で前記キャビティ内に位置決めされる拡張可能なリザーバと
を備える、圧力スパイク吸収システム。
【請求項２】
前記ハウジングは、前記キャビティから前記第１のチューブ通路に向かって延びる第１の保持ボアを備え、前記キャップは、前記キャビティから前記第２のチューブ通路に向かって延びる第２の保持ボアを備える、請求項１に記載の圧力スパイク吸収システム。
【請求項３】
前記第１の開口部を備える前記拡張可能なリザーバの第１の部分は、前記第１の保持ボアに位置決めされ、前記第２の開口部を備える前記拡張可能なリザーバの第２の部分は、前記第２の保持ボアに位置決めされ、前記第１および第２の部分との間の前記拡張可能なリザーバの第３の部分は、前記キャビティ内に位置決めされる、請求項２に記載の圧力スパイク吸収システム。
【請求項４】
前記キャビティは、前記ハウジングの前記第２の部分を通って前記ハウジングの前記第１の部分に向かって延びる、請求項１に記載の圧力スパイク吸収システム。
【請求項５】
前記ハウジングの内面は、前記キャビティから前記第１のチューブ通路に向かって先細になる断面幅を含む、請求項１に記載の圧力スパイク吸収システム。
【請求項６】
前記キャップの内面は、前記キャビティから前記第２のチューブ通路に向かって先細になる断面幅を含む、請求項１に記載の圧力スパイク吸収システム。
【請求項７】
前記ハウジングは、前記キャビティから前記ハウジングの前記外面に延びる通気通路を備える、請求項１に記載の圧力スパイク吸収システム。
【請求項８】
前記キャップは、第１の端部分と、第２の端部分とを備え、前記第２の端部分は、前記ハウジングの前記キャビティに位置決めされる、請求項１に記載の圧力スパイク吸収システム。
【請求項９】
前記拡張可能なリザーバに流体接続された流量制御弁を備える、請求項１に記載の圧力スパイク吸収システム。
【請求項１０】
アクセスポートおよび出口ポートを有する静脈内チューブと、
ハウジングであって、キャビティ、前記キャビティから前記ハウジングの第１の部分を通って延びる第１のチューブ通路、および前記キャビティから前記ハウジングの第２の部分を通って延びる第２のチューブ通路を備えるハウジングと、
第１の開口部、第２の開口部、および前記第１および第２の開口部の間に延びる通路を備える拡張可能なリザーバであって、前記キャビティ内に位置決めされ、前記アクセスポートと前記出口ポートとの間で前記静脈内チューブと流体接続する拡張可能なリザーバと
を備え、
流体が前記アクセスポートを通して注入されると、前記流体は、前記通路に向けられ、前記拡張可能なリザーバを非拘束配向から拡張配向に向かって移動させる、
圧力スパイク吸収システム。
【請求項１１】
前記拡張可能なリザーバの外面は、前記非拘束配向で前記ハウジングの内面から離間している、請求項１０に記載の圧力スパイク吸収システム。
【請求項１２】
前記拡張可能なリザーバの外面は、前記拡張配向で前記ハウジングの内面に対して係合する、請求項１０に記載の圧力スパイク吸収システム。
【請求項１３】
前記拡張可能なリザーバが前記拡張配向から前記非拘束配向に向かって移動するとき、前記流体は、前記通路から前記出口ポートに向かって向けられる、請求項１０に記載の圧力スパイク吸収システム。
【請求項１４】
前記キャビティと前記第１のチューブ通路との間に延びる第１の保持ボアと、前記キャビティと前記第２のチューブ通路との間に延びる第２の保持ボアとを備える、請求項１０に記載の圧力スパイク吸収システム。
【請求項１５】
前記非拘束配向および前記拡張配向において、前記第１の開口部を備える前記拡張可能なリザーバの第１の部分は、前記第１の保持ボアに位置決めされ、前記第２の開口部を備える前記拡張可能なリザーバの第２の部分は、前記第２の保持ボアに位置決めされ、前記第１および第２の部分の間の前記拡張可能なリザーバの第３の部分は、前記キャビティ内に位置決めされる、請求項１４に記載の圧力スパイク吸収システム。
【請求項１６】
第１の端部分、第２の端部分を有するキャップを備え、前記第２の保持ボア、および前記第２のチューブ通路は、前記キャップを通って延びる、請求項１４に記載の圧力スパイク吸収システム。
【請求項１７】
前記第２の端部分は、前記ハウジングの前記キャビティ内に延びるように構成される、請求項１５に記載の圧力スパイク吸収システム。
【請求項１８】
前記拡張可能なリザーバの前記通路は、前記非拘束配向における第１の容積と、前記拡張配向における前記第１の容積よりも大きい第２の容積とを含む、請求項１０に記載の圧力スパイク吸収システム。
【請求項１９】
前記アクセスポートと前記拡張可能なリザーバとの間に接続された流量制御弁を備え、前記流量制御弁は、前記拡張可能なリザーバから前記アクセスポートに向かう流体の移動に抵抗する、請求項１０に記載の圧力スパイク吸収システム。
【請求項２０】
前記ハウジングは、前記キャビティから前記ハウジングの外面に延びる通気通路を備え、前記通気通路は、前記拡張可能なリザーバが前記非拘束配向から前記拡張配向に向かって移動するときにガスが前記キャビティの外に移動することを可能にし、前記拡張可能なリザーバが前記拡張配向から前記非拘束配向に向かって移動するときにガスが前記キャビティ内に移動することを可能にするように構成される、請求項１０に記載の圧力スパイク吸収システム。
【発明の詳細な説明】
【技術分野】
【０００１】
本発明は、静脈内（ＩＶ）治療チューブ内の流体圧力の安全な管理を提供するためのシステムに関する。より具体的には、ＩＶセット内の流体圧力ボーラスを捕捉および分配するためのデバイスおよび方法に関する。
【背景技術】
【０００２】
ＩＶ注射は、ＩＶ流体を患者の静脈に流体接続されたチューブによって患者の静脈に投与するために使用される。ＩＶ流体は、一端が流体源に接続され、他端がＩＶカテーテルまたは延長チューブのハブに接続された柔軟なプラスチック製のチューブを通して注射される。プラスチック製のチューブは、多くの場合、ＩＶチューブ、アクセスポート、および出口ポートを含むＩＶセットの一部である。ＩＶセットは、流体が内部にあるＩＶバッグであり得る流体源と接続され得る。流体は、ＩＶセットを通して流体源から患者の静脈に向けられる薬剤であり得る。流体は、ＩＶセットの出口ポートに接続された針またはカテーテルを通して患者に注入することができる。本開示の圧力スパイク吸収システムは、ＩＶセットまたは任意の流体送達システムと共に使用され得ることを理解されたい。
【０００３】
ＩＶチューブと接続されたアクセスポートを利用して、追加のまたは異なる流体を患者に投与することができる。例えば、ボーラスを達成するために、薬剤をＩＶチューブに注入することができる。ＩＶボーラスは、多くの癌化学療法薬物などの希釈することができない薬物が投与されるとき、および治療目的が患者の血流のピーク薬物レベルを達成することであるときなどの緊急時において、薬剤の迅速な投与が必要なときに共通して使用される。ＩＶボーラスは、ＩＶ点滴が必要ではないおよび／または可能ではないときにも利用することができる。
【０００４】
ＩＶボーラスを達成するために、介護者は、流体源をＩＶチューブと流体接続する。例えば、シリンジは、アクセスポートを通してＩＶチューブに接続することができる。介護者は、一定期間シリンジのプランジャを押し、流体をシリンジからＩＶチューブに注入する。ＩＶチューブはマイクロボアチューブと呼ぶことができ、約１０ｍｍ以下の内径を有し得る。ＩＶチューブは注入される流体の流れを制限するため、介護者は、より大きな内径または内容積を有するチューブへの流体の注入と比較してより大きな力のレベルで、かつより長い期間、シリンジプランジャを押す必要がある。流体を注入するために必要な力のレベルが大きくなり、かつ期間が長くなると、介護者による身体運動の増加が必要になる。さらに、力のレベルおよび期間は、注入される流体の粘度に比例して増加し得る。
【０００５】
ＩＶボーラスは、ＩＶセット内の通常の圧力と比較して、圧力スパイクをＩＶセット内に発生させる可能性がある。例えば、１ポンドの力を１立方センチメートルのシリンジのプランジャに加えると、シリンジによって１平方インチあたり４０ポンドの出力が生成され得る。圧力がＩＶセットに向けられると、ＩＶセットの物理的完全性が損なわれる可能性があり、その結果、ＩＶチューブまたはＩＶセットの他の部分に漏れが生じる。
【発明の概要】
【０００６】
本明細書に開示される少なくともいくつかの実施形態によれば、流体をＩＶセットに注入することができるが、ボーラスがＩＶセット内で行われると特定の問題が発生するという認識である。例えば、ＩＶセット内の圧力スパイクがＩＶセットの一部を損傷して漏れを引き起こし得、貴重な薬剤を失い、介護者および／または患者を有害物質にさらす可能性がある。
【０００７】
本明細書に開示されるいくつかの実施形態は、流体がＩＶセットに注入されるとき、介護者は、一定期間にわたってシリンジから流体を注入しなければならないという認識に関する。シリンジから流体を注入するのに必要な時間により、忙しい介護者は他のタスクまたは患者に対応するのが妨げられる。
【０００８】
本明細書に開示される実施形態はまた、介護者がシリンジプランジャをシリンジに押し込み、ＩＶチューブの流れ制限を克服するためにかなりの物理的応力を及ぼさなければならないという認識に関する。介護者は、作業シフトごとに、および複数の患者に対してこのプロセスを複数回繰り返す場合があり、それによって必要な身体運動を悪化させ、介護者に傷害を引き起こす。
【０００９】
したがって、いくつかの実施形態では、ＩＶボーラスによって引き起こされるＩＶセットへの損傷を防止する圧力スパイク吸収デバイスが提供される。例えば、いくつかの実施形態は、ＩＶセット内のボーラスの圧力スパイクを低減することができる。したがって、本開示は、増加した圧力がＩＶセットの他の部分からそらされるように、ＩＶセットに注入された流体の捕捉を可能にする。
【００１０】
いくつかの実施形態では、一定の割合および／または圧力で圧力スパイク吸収デバイスからの捕捉された流体の分配を可能にする圧力スパイク吸収デバイスが提供される。したがって、本開示は、ＩＶセットまたは患者に注入される流体の導入率を予測可能にする。
【００１１】
いくつかの実施形態では、流体をＩＶセットに注入する介護者への傷害を防止する圧力スパイク吸収デバイスが提供される。例えば、いくつかの実施形態は、流体をＩＶセットに注入するのに必要な力を低減することができる。したがって、ＩＶセットに注入された流体は、本開示のデバイスに受容され得、これはＩＶセットおよび／またはＩＶチューブの他の部分と比較して圧力の増加に対する抵抗を少なくする。
【００１２】
加えて、本開示のいくつかの実施形態は、特定の特性を達成するためにシステムの交換可能なモジュール式部分を提供することができる。例えば、交換可能なハウジングおよび／または拡張可能なリザーバを組み合わせて、所望のサイズまたは形状を達成することができる。したがって、システムの交換可能な部分は、特定の断面幅および／または形状プロファイルを有するＩＶチューブと接続するように選択することができる。
【００１３】
さらに、交換可能なハウジングおよび／または拡張可能なリザーバを組み合わせて、所望のシステム性能を達成することができる。したがって、システムの交換可能な部分は、ハウジングおよび／または拡張可能なリザーバの特定の流体容量、拡張可能なリザーバの特定の拡張率、ならびに拡張可能なリザーバの特定の圧縮率のいずれかを有するように選択することができる。
【００１４】
主題の技術の追加の特徴および利点は、以下の説明に記載されており、一部は説明から明らかになるか、または主題の技術の実践によって学習される場合がある。主題の技術の利点は、本明細書およびその実施形態ならびに添付の図面において特に指摘される構造によって実現および達成されるであろう。
【００１５】
前述の一般的な説明と以下の詳細な説明の両方は、例示的かつ説明的であり、主題の技術のさらなる説明を提供することが意図されていると理解されるべきである。
【００１６】
本発明の例示的な実施形態の様々な特徴を、図面を参照して以下に説明する。図示の実施形態は、本発明を例示することを意図しており、限定することを意図していない。図面は、以下の図を含む。
【図面の簡単な説明】
【００１７】
【図１】いくつかの実施形態による、チューブと接続された圧力スパイク吸収システムの断面斜視図である。
【図２】いくつかの実施形態による、圧力スパイク吸収システムのハウジングの断面図である。
【図３】いくつかの実施形態による、圧力スパイク吸収システムのキャップの断面図である。
【図４】いくつかの実施形態による、圧力スパイク吸収システムの拡張可能なリザーバの断面図である。
【図５】いくつかの実施形態による、圧力スパイク吸収システムおよびチューブの分解図である。
【図６Ａ】いくつかの実施形態による、チューブに接続された圧力スパイク吸収システムの断面図である。
【図６Ｂ】いくつかの実施形態による、チューブに接続された圧力スパイク吸収システムの断面図である。
【図７】いくつかの実施形態による、圧力スパイク吸収システムおよびＩＶチューブのハウジングの別の実施形態の断面図である。
【図８】いくつかの実施形態による、圧力スパイク吸収システムおよびＩＶチューブのハウジングの別の実施形態の断面図である。
【図９】いくつかの実施形態による、圧力スパイク吸収システムを有する流体送達システムの図である。
【図１０】いくつかの実施形態による、圧力スパイク吸収システムを有する流体送達システムの図である。
【発明を実施するための形態】
【００１８】
主題の技術の様々な構成は、本開示から当業者には容易に明らかになり、主題の技術の様々な構成は、例として示され説明されることが理解される。認識されるように、主題の技術は、他の異なる構成が可能であり、そのいくつかの詳細は、主題の技術の範囲から逸脱することなく、様々な他の点で修正することが可能である。したがって、概要、図面、および詳細な説明は、本質的に例示と見なされるべきであり、限定と見なされるべきではない。
【００１９】
以下に記載される詳細な説明は、主題の技術の様々な構成の説明として意図されており、主題の技術が実践され得る唯一の構成を表すことを意図していない。添付の図面は、本明細書に組み込まれ、詳細な説明の一部を構成する。詳細な説明は、主題の技術の完全な理解を提供する目的のために特定の詳細を含む。しかしながら、主題の技術がこれらの特定の詳細なしに実践され得ることは、当業者には明らかであろう。いくつかの例では、主題の技術の概念を不明瞭にしないようにするために、周知の構造および構成要素がブロック図の形式で示されている。同様の構成要素には、理解を容易にするために同一の要素番号が付けられている。
【００２０】
圧力スパイク吸収システム１００は、ＩＶセットなどの静脈内流体送達システムと共に使用することができるが、圧力スパイク吸収システム１００は他の流体送達システムと共に使用することができることを理解されたい。しかしながら、明確かつ簡潔にするために、本開示は、ＩＶセットに主に言及する。
【００２１】
図１は、本開示のいくつかの実施形態による圧力スパイク吸収システム１００を示す。圧力スパイク吸収システム１００は、ハウジング１０２と、拡張可能なリザーバ１０４と、キャップ１０６とを備えることができる。圧力スパイク吸収システム１００は、チューブ１１０の第１の部分およびチューブ１１２の第２の部分と接続される。
【００２２】
本開示のいくつかの実施形態では、圧力スパイク吸収システム１００の通気通路１０８は、拡張可能なリザーバ１０４の拡張および収縮中にガスがハウジング１０２のキャビティを出入りすることを可能にする。
【００２３】
流体がチューブ１１０および１１２に注入されると、例えば、薬剤がＩＶセットに注入されて薬剤をＩＶ点滴に導入すると、ＩＶセット内の圧力は、ＩＶセット内の流体容積の増大により増加する。増加した圧力は、圧力スパイク吸収システム１００によって受容され得、拡張可能なリザーバ１０４は、ＩＶセットの他の部分よりも圧力に対する抵抗を少なくすることができる。
【００２４】
圧力により、拡張可能なリザーバ１０４が拡張し、内部の内容積が増大する。拡張可能なリザーバ１０４の増大した内容積は、流体容積の増大に適応する。流体容積の増大、したがって圧力の増加に適応することによって、圧力スパイク吸収システム１００は、ＩＶセットへの流体の注入中の流れに対する抵抗を低減し、圧力の増加がＩＶセットの他の部分に損傷を引き起こすことを防止する。
【００２５】
図２は、圧力スパイク吸収システム１００のハウジング１０２の断面図を示す。ハウジング１０２は、ハウジングのキャビティ内に拡張可能なリザーバ１０４の少なくとも一部を受容するように構成される。ハウジング１０２は、拡張可能なリザーバ１０４の拡張を限定することができ、拡張可能なリザーバ１０４の性能に損傷を与えるかまたは影響を及ぼし得る異物との意図しない接触から拡張可能なリザーバ１０４を保護することができる。
【００２６】
ハウジング１０２は、第１の部分１２０と、第２の部分１２２と、キャビティ１２６と、第１の保持ボア１２８と、第１のチューブ通路１３２とを含むことができる。第１の部分１２０および第２の部分１２２は、ハウジング１０２の対向する部分を備えることができる。いくつかの実施形態では、第１の部分１２０および第２の部分１２２は、互いに隣接して位置決めされ得る。
【００２７】
ハウジング１０２は、管またはシリンダとして成形することができ、規則的または不規則的な形状を含む断面プロファイルを有することができる。例えば、断面プロファイルは、円形、楕円形、正方形、長方形、三角形、またはそれらの組み合わせのいずれかを含み得る。ハウジング１０２は、単一の部品としてモノリシックに形成することができ、または互いに接続された複数の部品で形成することができる。
【００２８】
ハウジング１０２は、拡張可能なリザーバ１０４の拡張を制限することによって、圧力スパイク吸収システム１００に受容される流体の容積を限定するように構成することができる。システム１００に受容される流体の容積を限定するために、ハウジング１０２は、圧力スパイク吸収システム１００によって受容される流体の容積に対応するサイズを有することができる。例えば、少容積の流体を受容することを意図した圧力スパイク吸収システム１００は、比較的大容積の流体を受容することを意図した圧力スパイク吸収システム１００と比較してより小さな拡張可能なリザーバ１０４で構成されてもよい。したがって、より小さな拡張可能なリザーバ１０４を受容することを意図した圧力スパイク吸収システム１００は、より大きな拡張可能なリザーバ１０４を受容することを意図した圧力スパイク吸収システム１００と比較してより小さなハウジング１０２を有し得る。
【００２９】
ハウジングの内面１２４は、拡張可能なリザーバのためのキャビティ１２６を形成することができる。キャビティ１２６は、ハウジング１０２の一部内に形成することができ、拡張可能なリザーバ１０４の外面、またはその一部の周りに延びるように構成される。キャビティ１２６は、ハウジングの第２の部分１２２からハウジングの第１の部分１２０に向かって延びることができる。キャビティ１２６は、第１の部分１２０または第２の部分１２２でハウジング１０２の端部から、第１の部分１２０または第２の部分１２２の他方に向かって延びることができる。いくつかの実施形態では、キャビティ１２６は、第１の部分１２０と第２の部分１２２との間に延びる。さらに、キャビティ１２６は、ハウジング１０２の第１の部分１２０および第２の部分１２２のいずれかを通って延びてもよい。
【００３０】
キャビティ１２６は、第１の部分１２０と第２の部分１２２との間に延びる長さＬ１を有することができる。長さＬ１は、少なくとも約１．０インチおよび／または約６．０インチ以下であり得る。さらに、長さＬ１はまた、約２．０インチ〜約４．０インチであってもよい。
【００３１】
キャビティ１２６は、第１の部分１２０と第２の部分１２２との間に延びるハウジング軸Ａ１を横断する断面プロファイルを有することができる。キャビティ１２６の断面プロファイルは、規則的または不規則的な形状を含むことができる。断面プロファイルの形状は、円形、楕円形、正方形、長方形、三角形、またはそれらの組み合わせのいずれかを含み得る。キャビティ１２６の断面プロファイルは、キャビティの対向する内面の間を延びる幅Ｗ１を有することができる。幅Ｗ１は、少なくとも約０．２５インチおよび／または約２．０インチ以下であり得る。さらに、幅Ｗ１はまた、約０．５インチ〜１．０インチであってもよい。
【００３２】
キャビティ１２６のサイズは、キャビティ１２６を形成するハウジングの内面１２４によって画定される容積によって説明することができる。キャビティ１２６は、少なくとも約０．２５ｃｃおよび／または約１５ｃｃ以下の容積を有することができる。さらに、容量はまた、約１ｃｃ〜約６ｃｃであってもよい。
【００３３】
拡張可能なリザーバ１０４がハウジング１０２内に位置決めされると、非拘束配向における拡張可能なリザーバ１０４の外面とハウジング１０２の内面との間の空間は、示差容量を画定する。示差容量は、圧力スパイク吸収システム１００が適応するように意図されている容積を指定し得る。示差容量は、少なくとも約０．２５ｃｃおよび／または約１０ｃｃ以下、または約０．５ｃｃ〜約５ｃｃであってもよい。本開示のいくつかの実施形態では、示差容量は、３ｃｃである。
【００３４】
本開示のいくつかの態様では、キャビティ１２６の容積または示差容量は、拡張可能なリザーバ１０４の容積に対する比であり得る。例えば、キャビティの容積または示差容量は、拡張可能なリザーバ１０４の容積よりも少なくとも約１０％および／または約１５０％以下大きくすることができる。さらに、キャビティの容積または示差容量は、拡張可能なリザーバ１０４の容積よりも約２５％〜約５０％大きくすることができる。
【００３５】
ハウジング１０２の第１の保持ボア１２８は、拡張可能なリザーバ１０４の一部を受容するように構成される。第１の保持ボア１２８は、拡張可能なリザーバ１０４の一部を保持し、ハウジング１０２に対する拡張可能なリザーバの移動を制限する。
【００３６】
第１の保持ボア１２８は、ハウジング１０２の内面によって形成することができる。第１の保持ボア１２８は、キャビティ１２６からハウジングの第１の部分１２０に向かって延びる。本開示のいくつかの実施形態では、第１の保持ボア１２８は、キャビティ１２６からハウジング１０２の外面を通って延びることができる。
【００３７】
第１の保持ボア１２８は、拡張可能なリザーバ１０４の形状に対応する形状、または断面プロファイルを有することができる。例えば、第１の保持ボア１２８の断面プロファイルは、拡張可能なリザーバ１０４の外面の断面プロファイルと同じまたはほぼ同じであり得る。第１の保持ボア１２８は、キャビティ１２６とハウジング１０２の第１の部分１２０との間に延びる長さＬ２を有することができる。保持ボアの長さＬ２は、内部に保持することができる拡張可能なリザーバ１０４の長さに対応する。いくつかの実施形態では、保持ボアの長さＬ２は、拡張可能なリザーバ１０４の長さＬ３に対する比である。例えば、保持ボア１２８の長さＬ２は、拡張可能なリザーバ１０４の長さＬ３の少なくとも約１％および／または約４９％以下であり得る。さらに、保持ボアの長さＬ２はまた、拡張可能なリザーバ１０４の長さＬ３の約２０％〜約３０％であってもよい。
【００３８】
拡張可能なリザーバ１０４が圧力スパイク吸収システム１００と接続されると、拡張可能なリザーバ１０４の一部は、第１の保持ボア１２８内に位置決めされる。拡張可能なリザーバ１０４は、第１の保持ボア１２８内に位置決めされ、それにより拡張可能なリザーバの外面が第１の保持ボア１２８に沿ってハウジングの内面に対して係合する。拡張可能なリザーバ１０４と第１の保持ボア１２８との間の係合は、ハウジング１０２に対する拡張可能なリザーバ１０４の移動に抵抗する。第１の保持ボア１２８は、ハウジング軸Ａ１に沿った拡張可能なリザーバ１０４の移動に抵抗することができ、かつ／またはハウジング軸Ａ１の周りの拡張可能なリザーバ１０２の回転移動に抵抗することができる。
【００３９】
本開示のいくつかの実施形態では、第１の保持ボアは、キャビティ１２６からハウジングの第１の部分１２０に向かって延び、第２の保持ボアは、キャビティ１２６からハウジングの第２の部分１２２に向かって延びる。
【００４０】
ハウジング１０２は、キャビティと保持ボアとの間に移行面１３０を含み、リザーバの拡張および非拘束配向への拡張可能なリザーバの復帰中における拡張可能なリザーバ１０４への損傷を防止することができる。移行面１３０は、キャビティにおけるハウジングの内面と第１の保持ボア１２８におけるハウジングの内面との間に段階的な移行を形成する。ハウジング１０２の内面が段階的に移行することにより、ハウジング１０２に対して係合された拡張可能なリザーバに応力点が発生する可能性が低減される。
【００４１】
移行面１３０は、キャビティ１２６と第１の保持ボア１２８との間のハウジング１０２の内面１２４によって形成することができる。移行面１３０は、キャビティ１２６と第１の保持ボア１２８との間で先細になる断面幅を有する形状にすることができる。内面１２４の断面幅は、キャビティ１２６から第１の保持ボア１２８に向かって先細になり得る。本開示のいくつかの態様では、キャビティ１２６の断面幅は、第１の保持ボア１２８の断面幅よりも大きく、それにより内面１２４がキャビティ１２６から第１の保持ボア１２８に向かって先細になる。
【００４２】
ハウジング１０２の第１のチューブ通路１３２は、チューブの一部がハウジング１０２内に延びることを可能にし得る。第１のチューブ通路１３２は、ＩＶチューブがハウジングを通って移動し、ハウジング１０２および拡張可能なリザーバ１０４のいずれかと接続することを可能にする、ハウジングを通る通路を提供する。
【００４３】
第１のチューブ通路１３２は、キャビティ１２６とハウジング１０２の外面との間に延びる。第１のチューブ通路１３２は、第１の保持ボア１２８からハウジングの第１の部分１２０に向かって延びることができる。第１のチューブ通路１３２は、通路が第１のチューブ通路１３２および第１の保持ボア１２８の各々を通って延びるように、第１の保持ボア１２８と整列することができる。本開示のいくつかの態様では、軸Ａ１は、第１のチューブ通路１３２および第１の保持ボア１２８を通って延びる。
【００４４】
本開示のいくつかの実施形態では、第１のチューブ通路１３２は、ハウジングの第１の部分１２０と第２の部分１２２との間に位置決めされ、キャビティ１２６からハウジング１０２の外面に延びる。
【００４５】
第１のチューブ通路１３２は、挿入されたチューブがハウジング１０２に対して移動することを可能にする断面幅を有することができる。本開示のいくつかの実施形態では、第１のチューブ通路１３２は、チューブの断面幅とほぼ同じである断面幅を含み、それによってチューブと第１のチューブ通路１３２との間の締まりばめを提供する。
【００４６】
いくつかの態様では、第１のチューブ通路１３２の断面プロファイルは、拡張可能なリザーバ１０４の断面プロファイルよりも小さい。したがって、ＩＶチューブがハウジングから離れる方向に移動すると、ＩＶチューブに接続された拡張可能なリザーバ１０４の部分はハウジングに対して係合し、ＩＶチューブの後退または圧力スパイク吸収システム１００からのＩＶチューブの分離に抵抗する。
【００４７】
本開示のいくつかの実施形態では、ハウジング１０２は、通気通路１０８を備える。通気通路１０８は、ガスがハウジング１０２に出入りすることを可能にする。ガスは、拡張可能なリザーバ１０４のサイズが増大するか、または拡張配向に向かって移動するときにハウジング１０２から移すことができる。拡張可能なリザーバが後退するか、または非拘束配向に向かって移動すると、通気通路１０８は、ガスがハウジング１０２内に移動することを可能にする。
【００４８】
通気通路１０８は、ハウジングを通って延びる開口部として成形することができる。通気通路１０８は、ハウジングの内面とハウジングの外面との間に延びることができる。本開示のいくつかの実施形態では、通気通路１０８は、キャビティからハウジングの外面に延びる。
【００４９】
通気通路１０８の一部は、キャビティ１２６を形成するハウジング１０２の一部に沿って位置決めすることができ、それによってガスがハウジングに向かって、またはハウジングから離れて移動することを可能にする。本開示のいくつかの実施形態では、圧力スパイク吸収システム１００は、２つ以上の通気通路１０８を備える。例えば、第１の通気通路１０８は、ハウジングの第１の部分１２０の近位に位置決めすることができ、第２の通気通路１０８は、ハウジングの第２の部分１２２の近位に位置決めすることができる。
【００５０】
通気通路１０８は、キャビティとハウジングの外面に隣接する大気との間を移動するガスの割合を限定するようなサイズにすることができる。その結果、通気通路１０８は、拡張可能なリザーバ１０８の拡張率を調節するように構成され得る。
【００５１】
本開示のいくつかの実施形態では、通気通路１０８は、キャビティ１２６と圧力スパイク吸収システム１００の外面に隣接する大気との間に延びる通路、ボア、チャネル、および溝のいずれかとすることができる。通気通路１０８は、ハウジングの第１の部分１２０および第２の部分１２２のいずれかを通って延びる通路であり得る。通気通路１０８は、キャビティ１２６、第１の保持ボア１２８、および第１のチューブ通路１３２のいずれかの表面に沿って延びるチャネルとすることができる。いくつかの態様では、通気通路１０８は、キャップ１０６を通って延びる通路、およびキャップ１０６の表面に沿って延びるチャネルのいずれかであってもよい。
【００５２】
ハウジング１０２は、圧力スパイク吸収システム１００の意図された使用中に変形に抵抗するように構成される材料を含むことができる。例えば、ハウジング１０２の材料は、拡張可能なリザーバ１０４に対して剛性であり得る。ハウジング１０２は、拡張可能なリザーバ１０４よりも剛性とすることができ、それにより拡張可能なリザーバ１０４が拡張中にハウジングに対して推進されると、ハウジング１０２は、形状またはサイズの変化に抵抗する。さらに、ハウジング１０２の材料は、閾値を超える拡張可能なリザーバ１０４の拡張を限定または防止するように選択することができる。ハウジング１０２の材料は、プラスチック、金属、ガラス、ゴム、複合材、およびそれらの任意の組み合わせのいずれかであってもよい。
【００５３】
本開示のいくつかの実施形態では、ハウジング１０２、またはその一部は、形状の変化を可能にすることができる。例えば、ハウジングの材料は、特定の圧力までハウジングの形状を維持し、その後、拡張可能なリザーバによって推進または付勢されるように構成することができる。ハウジングの一部は、ハウジングの他の部分に対して撓むことができ、またはハウジングの一部は、ハウジングの他の部分に対して可動であることができる。
【００５４】
ハウジング１０２は、拡張可能なリザーバ１０４に対する異物または人からの接触を防止することによって、損傷から拡張可能なリザーバ１０４を保護することができる。鋭利なまたは研磨性の物体による拡張可能なリザーバ１０４に対する接触は、拡張可能なリザーバ１０４を引き裂き、切断し、または貫通し、漏れをＩＶセットに引き起こす可能性がある。本開示の別の態様では、ハウジング１０２は、拡張可能なリザーバ１０４の望ましくない拡張に抵抗することによって、拡張可能なリザーバ１０４を引き裂く可能性がある拡張可能なリザーバ１０４への損傷を防止することができる。本開示のさらに別の態様では、ハウジング１０２は、拡張可能なリザーバ１０４の形状を維持し、それによってシステムの意図された性能または拡張可能なリザーバ１０４への損傷に影響を及ぼし得るリザーバの屈曲またはねじれを防止する。
【００５５】
ハウジング１０２は、拡張可能なリザーバ１０４およびキャップ１０６と接続され、圧力スパイク吸収システム１００を形成する。拡張可能なリザーバ１０４は、ハウジングのキャビティ１２６内に位置決めされ、キャップ１０６は、ハウジング１０２および拡張可能なリザーバ１０４に接続される。圧力スパイク吸収システム１００は、ハウジングの第１の保持ボア１２８に位置決めされた、第１の開口部を備える拡張可能なリザーバ１０４の第１の部分と組み立てることができる。キャップ１０６は、第２の開口部を備える拡張可能なリザーバの第２の部分がキャップ１０６の保持ボアに位置決めされるように、ハウジング１０２と接続することができる。圧力スパイク吸収システム１００が組み立てられると、拡張可能なリザーバの第３の部分がキャビティ１２６内に位置決めされる。
【００５６】
図３を参照すると、圧力スパイク吸収システム１００のキャップ１０６の断面図が示されている。キャップ１０６は、ハウジング１０２と接続してキャビティ１２６を囲み、拡張可能なリザーバ１０４の一部を保持するように構成される。キャップ１０６は、拡張可能なリザーバ１０４およびＩＶチューブのいずれかと接続し、圧力スパイク吸収システム１００をＩＶチューブと共に保持することができる。本開示のいくつかの実施形態では、取り外し可能なキャップ１０６は、圧力スパイク吸収システム１００のモジュール式組み立てを可能にすることができる。例えば、圧力スパイク吸収システム１００の部分は、互いに交換可能に組み立てることができ、ＩＶセットと組み立てることができる。
【００５７】
キャップ１０６は、ハウジング１０２と接続してキャビティ１２６を囲み、かつ／または拡張可能なリザーバ１０４と係合するカバーまたはプラグとして成形することができる。キャップ１０６、またはその部分は、ハウジング１０２の外面上および内面１２４に沿って延びることができる。キャップはまた、ハウジング１０２の外面上に延びるカバーとして成形することができる。
【００５８】
キャップ１０６は、第１の端部分２０２と、第１の端部分２０２の反対側の第２の端部分２０４とを含むことができる。本開示のいくつかの実施形態では、キャップ１０６は、圧力スパイク吸収システム１００の第２の保持ボア２０８および第２のチューブ通路２１０を含む。キャップ軸Ｂ１は、第１の端部分２０２と第２の端部分２０４との間に延びる。
【００５９】
第１の端部分２０２は、キャップ軸Ｂ１に対して半径方向外向きに延びるリップ２０６を含む。第２の端部分２０４の方を向いているリップの表面２１４は、ハウジングの第２の部分１２２に対して係合することができる。
【００６０】
第１の端部分２０２は、キャップ軸Ｂ１に対して横断する断面プロファイルを有することができる。第１の端部分２０２の断面プロファイルは、ハウジング１０２の断面プロファイルと同じであり得、それによりリップ２０６の半径方向外面は、キャップがハウジング１０２と接続されるときにハウジング１０２の半径方向外面と同一平面にあるかまたは整列する。
【００６１】
キャップの第２の端部分２０４は、第１の端部分２０２から延びることができる。第２の端部分２０４は、キャップ軸Ｂ１に対して横断する断面プロファイルを有することができる。第２の端部分２０４の断面プロファイルは、キャビティ１２６の断面プロファイルと同じであり得、それにより第２の端部分２０４の半径方向外面は、キャップがハウジング１０２と接続されるときにハウジングの内面１２４に対して係合する。本開示のいくつかの実施形態では、第２の端部分２０４は、キャップの対向する外面の間に延びる幅Ｗ２を有することができる。キャップの幅Ｗ２は、キャビティの幅Ｗ１と同じまたはほぼ同じであり得る。
【００６２】
ハウジングに対する第２の端部分２０４の係合は、ハウジング１０２からのキャップ１０６の分離に抵抗することができる。キャップ１０６は、キャップの第２の端部分２０４の半径方向外面とハウジングの内面１２４との間の締まりばめによってハウジング１０２と接続され得る。本開示のいくつかの実施形態では、キャップ１０６およびハウジング１０２は、締まりばめ、溶接、接着剤、および機械的接続のいずれかによって互いに接続される。例えば、キャップ１０６は、ハウジング１０２と接着または溶接することができる。さらに別の例では、キャップ１０６およびハウジング１０２は、嵌合ねじ、対応するピンおよび溝、または機械的接続を備えてもよい。
【００６３】
キャップ１０６は、拡張可能なリザーバ１０４の一部を受容するように構成された第２の保持ボア２０８を含むことができる。第２の保持ボア２０８は、上述の第１の保持ボア１２８と同じ機能および特徴を提供するように構成することができる。したがって、保持ボアのいくつかの詳細および機能は、簡潔にするためにここでは繰り返さない。
【００６４】
第２の保持ボア２０８は、キャップ１０６の内面によって形成することができる。第２の保持ボア２０８は、第２の端部分２０４の端部から第１の端部分２０２に向かって延びる。本開示のいくつかの実施形態では、第２の保持ボア２０８は、第１の端部分２０２および第２の端部分２０４を通って延びることができる。
【００６５】
第２の保持ボア２０８は、第１の保持ボア１２８と同様に機能し、拡張可能なリザーバ１０４の一部を受容および／または保持することができる。したがって、第１の保持ボア１２８と同様に、第２の保持ボア２０８は、拡張可能なリザーバ１０４の外面の断面プロファイルと同じまたはほぼ同じ断面プロファイルを有する形状にすることができる。
【００６６】
第２の保持ボア２０８の長さＬ４は、第１の保持ボア１２８の長さＬ２とほぼ同じであり得る。本開示のいくつかの実施形態では、第２の保持ボア２０８は、第１の保持ボア１２８とは異なる長さまたは幅を有することができる。例えば、第１の保持ボア長さＬ２よりも大きい第２の保持ボア長さＬ４を有するキャップ１０６を使用して、第１の保持ボア１２８に対して拡張可能なリザーバ１０４のより長い部分を受容することができる。同様に、第１の保持ボア長さＬ２よりも小さい第２の保持ボア長さＬ４を有するキャップ１０６を使用して、第１の保持ボア１２８に対して拡張可能なリザーバ１０４のより短い部分を受容することができる。保持する第１の保持ボア長さよりも長いまたは短い第２の保持ボア長さを有するキャップを使用すると、拡張可能なリザーバ１０４の部分を拡張可能範囲よりもそれぞれ減少または増加させることができる。
【００６７】
キャップ１０６は、移行面２１２を含み、リザーバの拡張および非拘束配向への拡張可能なリザーバの復帰中における拡張可能なリザーバ１０４への損傷を防止することができる。キャップの移行面２１２は、上述のハウジングの移行面１３０と同じ機能および特徴を提供するように構成することができる。したがって、移行面２１２のいくつかの詳細および機能は、簡潔にするためにここでは繰り返さない。
【００６８】
移行面２１２は、第２の保持ボア２０８の一部に沿って位置決めすることができる。移行面２１２は、第２の保持ボア２０８の表面に沿った面取りとして成形することができる。本開示のいくつかの態様では、移行面２１２は、キャップ１０６の端面の凹状部分である。
【００６９】
移行面２１２は、第２の保持ボア２０８の断面幅よりも大きい断面幅を有することができる。移行面２１２の断面幅は、キャップの第２の端部分２０４から第１の端部分２０２に向かって先細になる。
【００７０】
本開示のいくつかの実施形態では、第２の保持ボア２０８の断面幅は、キャップの第２の端部分２０４から第１の端部分２０２に向かって先細になる。例えば、第２の保持ボア２０８は、キャビティ１２６の断面幅にほぼ等しいキャップの第２の端部分２０４の近位にある第１の断面幅と、第１の断面幅よりも小さい第１の端部分２０２の近位にある第２の断面幅とを有することができる。
【００７１】
キャップ１０６は、チューブの一部がハウジング１０２内に延びることを可能にするためにキャップ１０６を通って延びる第２のチューブ通路２１０を含むことができる。第２のチューブ通路２１０は、上述の第１のチューブ通路１３２と同じ機能および特徴を提供するように構成することができる。したがって、保持ボアのいくつかの詳細および機能は、簡潔にするためにここでは繰り返さない。
【００７２】
第２のチューブ通路２１０は、キャップ１０６の第１の端部分２０２と第２の端部分２０４との間に延びる。第２のチューブ通路２１０は、第２の保持ボア２０８からキャップ１０６の第１の端部分２０２に向かって延びることができる。第２のチューブ通路２１０は、通路が第２のチューブ通路２１０および第２の保持ボア２０８の各々を通って延びるように、第２の保持ボア２０８と整列することができる。本開示のいくつかの態様では、軸Ｂ１は、第２のチューブ通路２１０および第２の保持ボア２０８を通って延びる。
【００７３】
第２のチューブ通路２１０は、チューブのセグメントがキャップ１０６を通して挿入されることを可能にすることができる。例えば、ＩＶチューブの一部は、第２のチューブ通路２１０を通って移動し、拡張可能なリザーバ１０４の一部と接続し得る。
【００７４】
本開示のいくつかの実施形態では、第２のチューブ通路２１０は、キャップ１０６の一部を通って延びるノッチまたはチャネルとして成形される。例えば、第２のチューブ通路２１０は、キャップ１０６の第１の端部分２０２と第２の端部分２０４との間で、半径方向外面からキャップ軸Ｂ１に向かって延びるチャネルとすることができる。いくつかの態様では、第２のチューブ通路２１０は、ハウジング１０２の一部を通って延びる。例えば、第２のチューブ通路２１０は、ハウジングの第２の部分１２２を通る通路またはチャネルのいずれかであってもよい。
【００７５】
キャップ１０６は、圧力スパイク吸収システム１００の使用中に変形に抵抗するように構成される材料を含むことができる。例えば、キャップ１０６の材料は、ハウジング１０２とほぼ同じかまたは同様の硬度であり得る。本開示のいくつかの実施形態では、キャップ１０２は、ハウジング１０２よりも低い硬度を有する材料を含み、キャップ１０６がハウジング１０２と接続する間にキャップ１０２が部分的に変形することを可能にし、ハウジング１０２との締まりばめをもたらす。
【００７６】
キャップ１０２がハウジング１０６と接続されると、第２の開口部を備える拡張可能なリザーバの第２の部分は、第２の保持ボア２０８内に延びる。したがって、第１の保持ボア１２８は、拡張可能なリザーバ１０４の第１の部分を受容することができ、第２の保持ボア２０８は、拡張可能なリザーバ１０４の第２の部分を受容することができる。第２の保持ボア２０８は、ハウジング１０２およびキャップ１０６に対する拡張可能なリザーバ１０４の移動を防止することができる。例えば、拡張可能なリザーバ１０４の部分が第１の保持ボア１２８および第２の保持ボア２０８内に位置決めされると、第１および第２の保持ボアの間の軸に沿った拡張可能なリザーバ１０４の移動は、限定される。
【００７７】
図４を参照すると、圧力スパイク吸収システム１００の拡張可能なリザーバ１０４の断面図が示されている。拡張可能なリザーバ１０４は、液体またはガスなどの流体を受容し、拡張して流体の増加に適応するために変形するように構成される。
【００７８】
拡張可能なリザーバ１０４は、第１の開口部３０２、第２の開口部３０４、ならびに第１および第２の開口部と流体連通する通路３０６を有する管として成形することができる。通路３０６は、第１の開口部３０２と第２の開口部３０４との間に延びることができる。第１の開口部３０２および第２の開口部３０４は、通路３０６と流体連通し、それによって流体が第１および第２の開口部のいずれかを通って通路３０６に出入りすることを可能にする。拡張可能なリザーバ１０４は管状形状を有するものとして示されているが、拡張可能なリザーバおよび／またはキャビティは、球形、正方形、長方形、および楕円形のいずれかを含む、任意の規則的または不規則的な形状であってもよい。
【００７９】
拡張可能なリザーバ１０４は、第１の部分１２０と第２の部分１２２との間に延びる拡張可能なリザーバ軸Ｃ１を横断する断面プロファイルを有することができる。断面プロファイルは円形にすることができるが、断面プロファイルはまた、円形、楕円形、正方形、長方形、三角形、およびそれらの組み合わせのいずれかを含み得る。断面プロファイルは、拡張可能なリザーバ１０４の長さに沿って一定であり得るか、または拡張可能なリザーバ１０４の長さに沿って変化し得る。
【００８０】
拡張可能なリザーバの通路３０６は、ＩＶチューブの一部が通路３０６内に移動することを可能にするように、ＩＶチューブの外面の断面幅にほぼ等しい断面幅Ｗ３を有することができる。拡張可能なリザーバ１０４とＩＶチューブとの間の締まりばめを可能にするために、第１の開口部３０２および第２の開口部３０４における通路３０６の断面幅Ｗ３は、ＩＶチューブの外面の断面幅と同じであり得る。
【００８１】
本開示のいくつかの実施形態では、通路の断面幅Ｗ３は、ＩＶチューブの外面の断面幅よりも大きく、それによりギャップまたは空間が拡張可能なリザーバ１０４の内面とＩＶチューブの外面との間に存在する。ギャップにより、接着剤または他の接合材料を使用して、ＩＶチューブを拡張可能なリザーバ１０４と接続することが可能になり得る。いくつかの態様では、拡張可能なリザーバ１０４およびＩＶチューブのいずれも、ＩＶチューブと拡張可能なリザーバ１０４との接続を可能にするために収縮または拡張するように構成することができる。例えば、ＩＶチューブの一部を第１の開口部３０２または第２の開口部３０４を通して挿入することができ、次いで内部にＩＶチューブを有する拡張可能なリザーバ１０４、またはその一部のサイズを小さくしてＩＶチューブと係合することができる。
【００８２】
拡張可能なリザーバの通路３０６は、ある容積の流体を内部に受容することを可能にするサイズを有することができる。拡張可能なリザーバのサイズは、非拘束配向および／または拡張配向にあるときに容積を受容するように構成され得る。容積は、少なくとも約０．２５ｃｃおよび／または約１０ｃｃ以下、または約０．５ｃｃ〜約５ｃｃであってもよい。本開示のいくつかの実施形態では、通路３０６は、３ｃｃの容積を有することができる。
【００８３】
拡張可能なリザーバ１０４は、拡張配向に向かって弾性変形し、非拘束配向に戻るように構成される材料を含む。拡張可能なリザーバ１０４が変形して非拘束配向に戻ることを可能にすることにより、材料は弾性があるか、または変形に対するいくらかの抵抗を提供する。例えば、拡張可能なリザーバ１０４の材料は、拡張可能なリザーバ１０４の特定の拡張率および／または非拘束配向への復帰を可能にするデュロメータを有することができる。材料は、拡張可能なリザーバ１０４が拡張配向にあるとき、内部の流体が特定の割合で圧力スパイク吸収システム１００の外に向けられるように、デュロメータ硬度で構成することができる。
【００８４】
拡張可能なリザーバ１０４は第１および第２の開口部を有することができるが、いくつかの実施形態では、拡張可能なリザーバ１０４は、通路またはキャビティと流体連通する１つの開口部を有することができる。１つの開口部を有する拡張可能なリザーバは、流体が通路に入り、拡張可能なリザーバを拡張させてＩＶセットの圧力の増加に適応することを可能にし得る。拡張可能なリザーバの力が内部の流体圧力を克服すると、拡張可能なリザーバは非拘束配向に向かって戻り、流体を開口部の外に向ける。流体アクセスポートと拡張可能なリザーバとの間に位置決めされた上流の流量制御弁は、アクセスポートに向かう流体の逆流を防止することができる。
【００８５】
本開示のいくつかの実施形態では、第１の開口部３０２および第２の開口部３０４の間の拡張可能なリザーバ１０４、または拡張可能なリザーバの一部は、ベローズおよび／または折り目のいずれかを含む。例えば、いくつかの実施形態では、拡張可能なリザーバ１０４は、１つまたは複数の折り目を有し得、拡張可能なリザーバ軸Ｃ１に沿って、第１および第２の開口部の間に延びる。別の実施形態では、拡張可能なリザーバ軸Ｃ１の周りで、通路３０６の周囲に沿って延びる１つまたは複数の折り目。１つまたは複数の折り目は、圧力が通路３０６に加えられて拡張可能なリザーバ内の容積を増大させると、展開または拡張し得る。
【００８６】
本開示のいくつかの実施形態では、拡張可能なリザーバ１０４は、ハウジング１０２および／またはＩＶチューブに対する拡張可能なリザーバ１０４のさらなる移動に抵抗することができる隆起部を含む。隆起部は、拡張可能なリザーバ軸Ｃ１の外面から離れるように延び、ハウジング１０２に対して係合することができる。本開示のいくつかの実施形態では、隆起部は、拡張可能なリザーバ１０２の内面から延び、内部に挿入されたＩＶチューブに対して係合することができる。
【００８７】
本開示のいくつかの実施形態では、拡張可能なリザーバ１０４は、整列特徴３１０を含む。整列特徴３１０は、拡張可能なリザーバ１０４の一部が形状および／または方向を変更することを可能にする、ディンプル、窪み、チャネル、溝、および隆起部のいずれかであってもよい。例えば、拡張可能なリザーバ１０４は、第１の開口部３０２および第２の開口部３０４の各々に近接する、拡張可能なリザーバ軸Ｃ１の周りの外面内に延びる溝を有し得る。圧力が通路３０６に向けられると、溝の間の拡張可能なリザーバ１０４の部分は、溝と第１の開口部３０２および第２の開口部３０４との間の拡張可能なリザーバ１０４の部分に対して、半径方向外向きにさらに容易に拡張することができる。いくつかの態様では、整列特徴３１０は、ハウジング１０２に対する拡張可能なリザーバ１０４の位置の観察を可能にする、拡張可能なリザーバ１０４の内面および／または外面上のマーキングであり得る。
【００８８】
拡張可能なリザーバ１０４は、半径方向の拡張に抵抗する拘束機構を含むことができる。拘束機構は、第１の開口部３０２と第２の開口部３０４との間の拡張可能なリザーバに沿って延びることができるワイヤであり得る。いくつかの実施形態では、拘束機構は、拡張可能なリザーバ１０４の外面に沿って延びる格子またはメッシュ形状を有する材料であり得る。別の実施形態では、拘束機構は、拡張可能なリザーバ１０４の外面に沿って延びる管状構造とすることができる。
【００８９】
本開示のいくつかの実施形態では、圧力スパイク吸収システム１００は、拡張可能なリザーバ１０４の半径方向の拡張に抵抗することができるばねまたはレバーを含む。例えば、ばねまたはレバーは、ハウジングの内面１２４から拡張可能なリザーバ１０４に向かって延びることができる。拡張可能なリザーバ１０４が拡張配向にあるとき、拡張可能なリザーバ１０４の外面は、ばねまたはレバーに対して係合することができる。拡張可能なリザーバ１０４に対するばねまたはレバーの力は、半径方向内向きに拡張可能なリザーバ１０４を向けることができ、それによって流体が通路３０６の外に向けられる。
【００９０】
図５を参照すると、圧力スパイク吸収システム１００の分解図が示されている。以下の説明は、圧力スパイク吸収システム１００の部分間の組み立ておよび協働を示すことを理解されたい。したがって、圧力スパイク吸収システム１００の組み立ては、以下の説明のいずれかを、任意の変形またはシーケンスで含むことができる。
【００９１】
圧力スパイク吸収システム１００は、ＩＶチューブまたは流体送達システムの既存のセクションと接続することができる。例えば、チューブを切断し、チューブ１１０の第１の部分およびチューブ１１２の第２の部分を形成することができる。次に、チューブ１１０および１１２の第１および第２の部分の端部を、圧力スパイク吸収システム１００に接続することができる。本開示のいくつかの実施形態では、圧力スパイク吸収システム１００は、例えば、ＩＶセットまたは流体送達システムの一部としてＩＶチューブと接続され得る。
【００９２】
圧力スパイク吸収システム１００をチューブと接続するために、チューブ１１０は、ハウジング１０２を通して挿入される。チューブ１１０は、ハウジングの第１の部分１２０から第２の部分１２２に向かってハウジング１０２を通して挿入することができる。ハウジング１０２を通して挿入されると、チューブ１１０の端部分は、チューブ通路１３２、第１の保持ボア１２８、およびキャビティ１２６を通って移動する。チューブ１１０の端部分がハウジングの第２の部分１２２を通って延びると、チューブ１１０は、拡張可能なリザーバ１０４に接続され得る。
【００９３】
チューブ１１０は、チューブ１１０の端部分を拡張可能なリザーバの第１の開口部３０２を通して挿入することによって、拡張可能なリザーバ１０４に接続され得る。チューブ１１０は、チューブ１１０の外面が拡張可能なリザーバ１０４の内面に沿って延びるように、第１の開口部３０２を通って通路３０６内に移動することができる。通路３０６内のチューブ１１０の一部は、図５において破線で識別される。チューブ１１０の端部分は、拡張可能なリザーバの第１の開口部３０２から距離Ｄ１だけ延びる。
【００９４】
チューブ１１２の別の部分は、キャップ１０６を通して挿入される。チューブ１１２は、チューブ１１２の端部分をチューブ通路２１０および第２の保持ボア２０８を通して第１の端部分２０２から第２の端部分２０４に向かって移動させることによって、キャップ１０６を通して挿入される。チューブ１１２がキャップの第２の端部分２０４を通って延びると、チューブ１１２は、拡張可能なリザーバ１０４に接続され得る。
【００９５】
チューブ１１２は、チューブ１１２の端部分を拡張可能なリザーバの第２の開口部３０４を通して挿入することによって、拡張可能なリザーバ１０４に接続され得る。チューブ１１２は、チューブ１１２の外面が拡張可能なリザーバ１０４の内面に沿って延びるように、第２の開口部３０４を通って通路３０６内に移動することができる。第１の開口部３０２を通して挿入されたチューブ１１０の部分と同様に、チューブ１１２の部分は、距離Ｄ１だけ通路３０６内に延びることができる。
【００９６】
キャップ１０６は拡張可能なリザーバ１０４に向かって移動することができ、それにより第２の開口部３０４に隣接する拡張可能なリザーバの一部が第２の保持ボア２０８内に位置決めされ、拡張可能なリザーバの第２の開口部３０４が第２のチューブ通路２１０と整列する。
【００９７】
拡張可能なリザーバ１０４およびキャップ１０６の一部はハウジングのキャビティ１２６内に移動することができ、それにより第１の開口部３０２に隣接する拡張可能なリザーバの一部が第１の保持ボア１２８内に位置決めされ、第１の開口部３０２が第１のチューブ通路１３２と整列する。キャップ１０６がハウジング１０２と接続されると、拡張可能なリザーバ１０４は、第１の保持ボア１２８と第２の保持ボア２０８との間に延びる。
【００９８】
本開示のいくつかの実施形態では、拡張可能なリザーバ１０４は、最初にハウジング１０２に挿入され、次にキャップ１０６がハウジングと接続される。キャップ１０６がハウジング１０２と接続されると、キャップの第２の端部分２０４がハウジング１０２に挿入され、拡張可能なリザーバ１０４の一部が第２の保持ボア２０８に受容される。
【００９９】
図６Ａおよび図６Ｂを参照すると、圧力スパイク吸収システム１００の断面図が示されている。図６Ａは、非拘束配向の拡張可能なリザーバ１０４を示し、図６Ｂは、拡張配向の拡張可能なリザーバ１０４を示す。
【０１００】
非拘束配向では、第１の開口部３０２に隣接する拡張可能なリザーバ１０４の一部は、第１の保持ボア１２８内に位置決めされ、第１の開口部３０２は、第１のチューブ通路１３２と整列する。チューブ１１０の一部は、第１のチューブ通路１３２を通って延び、拡張可能なリザーバの第１の開口部３０２と接続される。
【０１０１】
第２の開口部３０４に隣接する拡張可能なリザーバ１０４の別の部分は、キャップ１０６と接続される。拡張可能なリザーバの別の部分は、第２の開口部３０４が第２のチューブ通路２１０と整列するようにキャップ１０６と接続される。チューブ１１２の一部は、第２のチューブ通路２１０を通って延び、拡張可能なリザーバの第２の開口部３０４と接続される。
【０１０２】
拡張可能なリザーバ１０４の外面およびハウジングの内面１２４は、拡張可能なリザーバ１０４がハウジングの内面に向かって移動する、すなわち、拡張することを可能にするために離間または分離される。拡張可能なリザーバ１０４の外面とハウジングの内面１２４との間の空間は、圧力スパイク吸収システム１００の容量を画定する。ハウジングの通気孔１０８は、拡張可能なリザーバ１０４が拡張するときにガスがハウジング１０２の外に向けられることを可能にし、拡張可能なリザーバ１０４が非拘束配向に向かって移動するときにガスをハウジング１０２に引き込むことを可能にする。
【０１０３】
ＩＶセット、または他の流体送達システムのチューブと接続されると、拡張可能なリザーバ１０４は変形し、ＩＶセットまたはシステムの他の部分からの圧力および抵抗を解放することができる。例えば、流体がＩＶセットに注入されると、流体は患者にすぐには注入されず、したがって、圧力はＩＶセット内で増加する。流体圧力の増加は、最小の抵抗を有するＩＶセットの部分に作用し得る。いくつかの例では、圧力の増加はＩＶセットの損傷および漏れを引き起こし、流体をＩＶセットに注入する力に抵抗し得る。
【０１０４】
図６Ｂに示すように、拡張可能なリザーバはＩＶセットの他の部分と比較して抵抗を少なくし得るため、拡張可能なリザーバは変形するか、または拡張配向に移動して圧力を解放する。拡張可能なリザーバが変形すると、通路３０６の容積が増大し、流体が内部に収容されることを可能にする。流体を収容するように変形することによって、圧力がＩＶセットの他の部分から解放されるかまたは方向転換されるが、そうでなければ損傷を引き起こす可能性がある。さらに、拡張可能なリザーバ１０４の変形は、流体がより少ない抵抗でＩＶセットに注入されることを可能にする。
【０１０５】
拡張配向では、拡張可能なリザーバ１０４の力は、通路３０６内の流体に対して向けられ、力は、拡張可能なリザーバ１０４を非拘束配向に向かって推進する。例えば、拡張可能なリザーバ１０４の力は、拡張可能なリザーバ軸Ｃ１に向かって向けられ得る。
【０１０６】
圧力が拡張可能なリザーバ１０４に向けられなくなったとき、または拡張可能なリザーバ１０４の力が通路３０６に対して係合された流体の力よりも大きいとき、拡張可能なリザーバ１０４は、非拘束配向に向かって移動することができる。拡張可能なリザーバ１０４が非拘束配向に向かって移動すると、通路３０６の容積はより小さくなり、それによって流体を拡張可能なリザーバ１０４の外に向ける。
【０１０７】
本開示の実施形態では、圧力スパイク吸収システム１００は、本開示に記載されている特徴のいずれか、または特徴の任意の組み合わせを含むことができる。図７および図８を参照すると、本開示に記載されている特徴を有するハウジングの実施形態が示されている。
【０１０８】
図７は、第１の部分４０４および第２の部分４０６を有するハウジング４０２、ならびに第１および第２の部分を通って延びるキャビティ４０８の断面図を示す。第１の部分４０４および第２の部分４０６の各々は、接続されているキャップ４１０を含む。
【０１０９】
キャビティ４０８は、ハウジング４０２を通る通路の形状および／または断面の変形を限定することによって、製造の複雑性を低減することができる。さらに、重要なサイズ公差がキャップ４１０に限定され得るため、ハウジング４０２は、より広い製造公差を可能にし得る。
【０１１０】
いくつかの実施形態では、ハウジング４０２は、ハウジング４０２の内面と外面との間に延びる開口部４１２を含むことができる。開口部４１２は、第１の部分４０４と第２の部分４０６との間に延びる細長い通路であり得る。本出願のいくつかの実施形態では、第１の部分４０４と第２の部分４０６との間のハウジング４０２の一部は、複数の開口部を備えるメッシュまたは格子構造を含む。
【０１１１】
開口部４１２は、キャビティ４０８の通気を可能にすることができる。本開示のいくつかの態様では、開口部４１２は、キャビティおよび／または拡張可能なリザーバの観察を可能にする。例えば、開口部４１２は、拡張可能なリザーバが非拘束または拡張配向であるかどうかの観察および決定を可能にすることができる。
【０１１２】
いくつかの実施形態では、開口部４１２は、窓のように機能することができ、開口部４１２を通る物体の移動に抵抗する透明な窓ガラスを含むことができるが、ハウジング内の観察を可能にし得る。本開示の態様では、圧力スパイク吸収システムの任意の部分、または全体を透明な材料で形成し、キャビティ内の観察を可能にすることができる。
【０１１３】
いくつかの実施形態では、圧力スパイク吸収システムは、モジュール式であるか、または修正可能である。ハウジング、第１の部分４０４のキャップ、および第２の部分４０６のキャップはいずれも交換可能またはモジュール式であり得るため、圧力スパイク吸収システムは、異なる圧力および／もしくは容積容量での使用のために、ならびに／または種々の拡張可能なリザーバおよびＩＶチューブでの使用のために構成され得る。例えば、第１の部分４０４のキャップは、第１の断面直径を有する第１のＩＶチューブが通って移動することを可能にするように選択され得る。第２の部分４０６のキャップは、第１の断面直径とは異なる第２の断面直径を有する第２のＩＶチューブが通って移動することを可能にするように選択され得る。したがって、圧力スパイク吸収システムを使用して、ＩＶセットの一部を第１の断面直径を有するＩＶチューブから第２の断面直径を有するＩＶチューブに移行させることができる。
【０１１４】
図８は、互いに接続することができる２つ以上の部分を有するハウジング４５２を示す。ハウジング４５２は、第１の部分４５４および第２の部分４５６を有することができ、これらは互いに接続され、キャビティ、保持ボア、チューブ通路、および通気通路のいずれかを形成することができる。いくつかの実施形態では、第１の部分４５４および第２の部分４５６のいずれかは、キャビティ４５８の一部、保持ボア４６０の一部、チューブ通路４６２の一部、および通気通路４６４の一部を形成する。
【０１１５】
ハウジングの第１の部分４５４および第２の部分４５６は、任意の締結または接合方法または機構を使用して互いに接続することができる。第１および第２の部分は、相補的なピンおよびポケット、またはスナップおよび爪を含むことができる。第１および第２の部分は、接着剤または溶接で互いに接合することができる。いくつかの実施形態では、バンドなどのリテーナは、ハウジングの第１の部分４５４および第２の部分４５６の外面の上または周りに延びることができる。ハウジングの第１の部分４５４および第２の部分４５６は、リビングヒンジ４６６によって互いに接続することができ、第２の部分４５６に対する第１の部分４５４の移動を可能にする。
【０１１６】
第１の部分４５４および第２の部分４５６を有するハウジング４５２を有する圧力スパイク吸収システムは、最初に拡張可能なリザーバをＩＶチューブの部分間に接続することによって組み立てることができる。次に、拡張可能なリザーバをキャビティ４５８の一部内に位置決めし、拡張可能なリザーバの第１の部分が保持ボア４６０の一部に位置決めされることで、チューブの第１の部分が第１のチューブ通路４６２を通って延びる。拡張可能なリザーバの第２の部分は、別の保持ボア４６０の一部に位置決めされ、それによりチューブの第２の部分が別のチューブ通路４６２を通って延びる。次に、ハウジングの第１および第２の部分を互いに接続し、拡張可能なリザーバをキャビティ４５８内で囲むことができる。ハウジングの第１および第２の部分は、ハウジングの第１の部分４５４をハウジングの第２の部分４５６に向かって移動または回転させることによって、互いに接続することができる。
【０１１７】
圧力スパイク吸収システムは、圧力スパイク吸収システムに対する流体の移動に抵抗するための流量制御弁を含むことができる。流量制御弁は、流体がＩＶセットのアクセスポートから圧力スパイク吸収システムに向かって移動することを可能にし、流体が圧力スパイク吸収システムからアクセスポートに向かって移動することを防止し得る。流量制御弁は、拡張可能なリザーバが拡張配向から非拘束配向に向かって移動するとき、アクセスポートに向かう流体の移動に抵抗することができる。アクセスポートに向かう流体の移動に抵抗することによって、流体は患者に向かって向けられる。
【０１１８】
図９および図１０を参照すると、流量制御弁を有する流体送達システムが示されている。流体送達システムは、薬剤バッグなどの流体源５００と、アクセスポート５０２と、圧力スパイク吸収システム５０４とを含むことができる。流体源５００、アクセスポート５０２、および圧力スパイク吸収システム５０４は、チューブ５１２によって、互いにかつ患者５１０に流体接続され得る。
【０１１９】
図９を参照すると、圧力スパイク吸収システム５０４の実施形態は、流量制御弁５０６と、拡張可能なリザーバ５０８とを含むことができる。流量制御弁５０６は、圧力スパイク吸収システム５０４のハウジングおよび拡張可能なリザーバのいずれかに組み込むことができる。例えば、流量制御弁は、ハウジングの第１の部分で、チューブ通路および／または保持ボアと流体接続され得る。流体が流体源５００またはアクセスポート５０２から圧力スパイク吸収システム５０４に向かって向けられると、流体は、流量制御弁５０６を通って拡張可能なリザーバ５０８の通路内に移動する。拡張可能なリザーバ５０８が非拘束配向に向かって移動すると、流量制御弁５０６は、拡張可能なリザーバ５０８からアクセスポート５０２に向かう方向の流体の移動に抵抗する。したがって、流体は患者５１０に向かって移動する。
【０１２０】
図１０を参照すると、流量制御弁５０６は、アクセスポート５０２と圧力スパイク吸収システム５０４との間で、流体送達システムに接続することができる。例えば、流量制御弁５０６は、アクセスポート５０２と圧力スパイク吸収システム５０４との間で、チューブ５１２に流体接続され得る。流体が流体源５００またはアクセスポート５０２から圧力スパイク吸収システム５０４に向かって向けられると、流体は、流量制御弁５０６を通って圧力スパイク吸収システム５０４内に移動する。拡張可能なリザーバ５０８が非拘束配向に向かって移動すると、流量制御弁５０６は、圧力スパイク吸収システム５０４からアクセスポート５０２に向かう方向の流体の移動に抵抗する。したがって、流体は患者５１０に向かって移動する。
【０１２１】
条項としての主題の技術の説明
便宜的に、本開示の態様の様々な例を、番号を付けた条項（１、２、３など）として説明する。これらは例として提供され、主題の技術を限定しない。図および参照番号の特定が単に例としておよび説明のために以下に提供され、条項は、これらの特定によって限定されない。
【０１２２】
条項１．ハウジングであって、キャビティ、および前記キャビティから前記ハウジングの第１の部分を通って前記ハウジングの外面に延びる第１のチューブ通路を備えるハウジングと、前記ハウジングの第２の部分に接続されたキャップであって、前記キャビティから前記キャップの外面を通って延びる第２のチューブ通路を備えるキャップと、第１の開口部と第２の開口部との間に延びる通路を備える拡張可能なリザーバであって、前記第１の開口部が前記第１のチューブ通路と整列し、前記第２の開口部が前記第２のチューブ通路と整列した状態で前記キャビティ内に位置決めされる拡張可能なリザーバとを備える、圧力スパイク吸収システム。
【０１２３】
条項２．前記ハウジングは、前記キャビティから前記第１のチューブ通路に向かって延びる第１の保持ボアを備え、前記キャップは、前記キャビティから前記第２のチューブ通路に向かって延びる第２の保持ボアを備える、条項１に記載の圧力スパイク吸収システム。
【０１２４】
条項３．前記第１の開口部を備える前記拡張可能なリザーバの第１の部分は、前記第１の保持ボアに位置決めされ、前記第２の開口部を備える前記拡張可能なリザーバの第２の部分は、前記第２の保持ボアに位置決めされ、前記第１および第２の部分との間の前記拡張可能なリザーバの第３の部分は、前記キャビティ内に位置決めされる、条項２に記載の圧力スパイク吸収システム。
【０１２５】
条項４．前記キャビティは、前記ハウジングの前記第２の部分を通って前記ハウジングの前記第１の部分に向かって延びる、条項１に記載の圧力スパイク吸収システム。
【０１２６】
条項５．前記ハウジングの内面は、前記キャビティから前記第１のチューブ通路に向かって先細になる断面幅を含む、条項１に記載の圧力スパイク吸収システム。
【０１２７】
条項６．前記キャップの内面は、前記キャビティから前記第２のチューブ通路に向かって先細になる断面幅を含む、条項１に記載の圧力スパイク吸収システム。
【０１２８】
条項７．前記ハウジングは、前記キャビティから前記ハウジングの前記外面に延びる通気通路を備える、条項１に記載の圧力スパイク吸収システム。
【０１２９】
条項８．前記キャップは、第１の端部分と、第２の端部分とを備え、前記第２の端部分は、前記ハウジングの前記キャビティに位置決めされる、条項１に記載の圧力スパイク吸収システム。
【０１３０】
条項９．前記拡張可能なリザーバに流体接続された流量制御弁を備える、条項１に記載の圧力スパイク吸収システム。
【０１３１】
条項１０．アクセスポートおよび出口ポートを有する静脈内チューブと、ハウジングであって、キャビティ、前記キャビティから前記ハウジングの第１の部分を通って延びる第１のチューブ通路、および前記キャビティから前記ハウジングの第２の部分を通って延びる第２のチューブ通路を備えるハウジングと、第１の開口部、第２の開口部、および前記第１および第２の開口部の間に延びる通路を備える拡張可能なリザーバであって、前記キャビティ内に位置決めされ、前記アクセスポートと前記出口ポートとの間で前記静脈内チューブと流体接続する拡張可能なリザーバとを備え、流体が前記アクセスポートを通して注入されると、前記流体は、前記通路に向けられ、前記拡張可能なリザーバを非拘束配向から拡張配向に向かって移動させる、圧力スパイク吸収システム。
【０１３２】
条項１１．前記拡張可能なリザーバの外面は、前記非拘束配向で前記ハウジングの内面から離間している、条項１０に記載の圧力スパイク吸収システム。
【０１３３】
条項１２．前記拡張可能なリザーバの外面は、前記拡張配向で前記ハウジングの内面に対して係合する、条項１０に記載の圧力スパイク吸収システム。
【０１３４】
条項１３．前記拡張可能なリザーバが前記拡張配向から前記非拘束配向に向かって移動するとき、前記流体は、前記通路から前記出口ポートに向かって向けられる、条項１０に記載の圧力スパイク吸収システム。
【０１３５】
条項１４．前記キャビティと前記第１のチューブ通路との間に延びる第１の保持ボアと、前記キャビティと前記第２のチューブ通路との間に延びる第２の保持ボアとを備える、条項１０に記載の圧力スパイク吸収システム。
【０１３６】
条項１５．前記非拘束配向および前記拡張配向において、前記第１の開口部を備える前記拡張可能なリザーバの第１の部分は、前記第１の保持ボアに位置決めされ、前記第２の開口部を備える前記拡張可能なリザーバの第２の部分は、前記第２の保持ボアに位置決めされ、前記第１および第２の部分の間の前記拡張可能なリザーバの第３の部分は、前記キャビティ内に位置決めされる、条項１４に記載の圧力スパイク吸収システム。
【０１３７】
条項１６．第１の端部分、第２の端部分を有するキャップを備え、前記第２の保持ボア、および前記第２のチューブ通路は、前記キャップを通って延びる、条項１４に記載の圧力スパイク吸収システム。
【０１３８】
条項１７．前記第２の端部分は、前記ハウジングの前記キャビティ内に延びるように構成される、条項１５に記載の圧力スパイク吸収システム。
【０１３９】
条項１８．前記拡張可能なリザーバの前記通路は、前記非拘束配向における第１の容積と、前記拡張配向における前記第１の容積よりも大きい第２の容積とを含む、条項１０に記載の圧力スパイク吸収システム。
【０１４０】
条項１９．前記アクセスポートと前記拡張可能なリザーバとの間に接続された流量制御弁を備え、前記流量制御弁は、前記拡張可能なリザーバから前記アクセスポートに向かう流体の移動に抵抗する、条項１０に記載の圧力スパイク吸収システム。
【０１４１】
条項２０．前記ハウジングは、前記キャビティから前記ハウジングの外面に延びる通気通路を備え、前記通気通路は、前記拡張可能なリザーバが前記非拘束配向から前記拡張配向に向かって移動するときにガスが前記キャビティの外に移動することを可能にし、前記拡張可能なリザーバが前記拡張配向から前記非拘束配向に向かって移動するときにガスが前記キャビティ内に移動することを可能にするように構成される、条項１０に記載の圧力スパイク吸収システム。
【０１４２】
さらなる考慮事項
いくつかの実施形態では、本明細書における条項はいずれも、独立条項のいずれか一項または従属条項のいずれか一項に従属することができる。一態様では、条項（例えば、従属または独立条項）はいずれも、いずれかの他の１つまたは複数の条項（例えば、従属または独立条項）と組み合わせることができる。一態様では、請求項は、１つの条項、文、句または段落において挙げられた語（例えば、ステップ、動作、手段または構成要素）のいくつかまたはすべてを含むことができる。一態様では、請求項は、１つまたは複数の条項、文、句または段落において挙げられた語のいくつかまたはすべてを含むことができる。一態様では、条項、文、句または段落の各々におけるいくつかの語を削除することができる。一態様では、付加的な語または要素を条項、文、句または段落に追加することができる。一態様では、主題の技術は、本明細書に記載された構成要素、要素、機能または動作のいくつかを利用することなく実施することができる。一態様では、主題の技術は、付加的な構成要素、要素、機能または動作を利用して実施することができる。
【０１４３】
前述の説明は、当業者が本明細書に記載された様々な構成を実践することを可能にするために提供される。主題の技術は、様々な図および構成を参照して具体的に説明されているが、これらは例示のみを目的としており、主題の技術の範囲を限定するものとして解釈されるべきではないことを理解されたい。
【０１４４】
主題の技術を実装するための多くの他の方法が存在し得る。主題の技術の範囲を逸脱することなく、本明細書で説明される様々な機能および要素を示されるものとは異なるように区分化することができる。これらの構成に対する様々な修正を当業者は容易に理解し、本明細書において定義される包括的な原理を他の構成に適用することができる。したがって、主題の技術の範囲を逸脱することなく、当業者によって、主題の技術に対する多くの変更および修正を行うことができる。
【０１４５】
開示されたプロセスにおけるステップの具体的な順序または階層は、例示的なアプローチの例示であることが理解される。設計上の選好に基づいて、プロセスにおけるステップの具体的な順序または階層は、再編成可能であることが理解される。ステップのいくつかは、同時に実行することができる。添付の方法クレームは、サンプルの順序において様々なステップの要素を提示しており、提示された具体的な順序または階層に限定されることを意図していない。
【０１４６】
本明細書で使用されているように、一連の事項に続く句「の少なくとも１つ」は、その事項の任意のものを分離するための用語「および」または「または」を伴うとき、列挙されたものの各部材（すなわち、各事項）ではなく、全体として最初のものを修飾する。句「の少なくとも１つ」は、列挙された各事項の少なくとも１つを選択する必要はなく、むしろ、この句は、事項の任意の１つの少なくとも１つ、および／または事項の任意の組み合わせの少なくとも１つ、および／または事項の各々の少なくとも１つを含む意味を許容する。例として、句「Ａ、Ｂ、およびＣの少なくとも１つ」または「Ａ、Ｂ、またはＣの少なくとも１つ」は各々、Ａのみ、Ｂのみ、またはＣのみ、Ａ、Ｂ、およびＣの任意の組み合わせ、および／またはＡ、Ｂ、およびＣの各々の少なくとも１つを指す。
【０１４７】
「上部」、「底部」、「前方」、「後方」などの用語は、本開示で使用する場合、通常の重力基準系ではなく、任意の基準系に関連するものと理解されたい。したがって、上面、底面、前面、および後面は、重力基準系においては上方に、下方に、対角線方向に、または水平方向に延びることがある。
【０１４８】
さらに、「含む（ｉｎｃｌｕｄｅ）」、「有する（ｈａｖｅ）」などの用語が本明細書または特許請求の範囲で使用されている範囲で、そのような用語は、「備える（ｃｏｍｐｒｉｓｅ）」が請求項中で移行語として用いられる場合に解釈される場合の「備える（ｃｏｍｐｒｉｓｅ）」という用語と同様の様式で包括的であることが意図されている。
【０１４９】
１つまたは複数の態様では、「約」、「実質的に」、および「およそ」という用語は、それらの対応する用語および／または事項間の相対性に対する産業上一般的な公差を提供することができる。
【０１５０】
「例示的な」という語は、本明細書では「例、事例、または例示として役立つ」ことを意味するために使用される。本明細書で「例示的な」として説明される実施形態は、必ずしも他の実施形態よりも好ましいまたは有利であると解釈されない。
【０１５１】
単数形の要素への言及は、特に明記しない限り、「１つおよび１つだけの」を意味するものではなく、「１つまたは複数」を意味することが意図されている。男性代名詞（例えば、彼の）は、女性および中性（例えば、彼女の、およびその）を含み、逆もまた同様である。「いくつかの」という用語は、１つまたは複数を指す。下線および／またはイタリック体の見出しおよび小見出しは、便宜のためにのみ使用され、主題の技術を限定せず、主題の技術の説明の解釈に関連して参照されない。当業者に既知であるかまたは後に既知になる、本開示全体を通して説明される様々な構成の要素に対するすべての構造的および機能的等価物は、参照により本明細書に明白に組み込まれ、主題の技術によって包含されるように意図される。さらに、本明細書に開示されるものは、かかる開示が上記の説明の中で明示的に引用されているか否かにかかわらず、公衆に提供されるようには意図されない。
【０１５２】
詳細な説明は多くの特定のものを含むが、これらは、主題の技術の範囲を限定するものとして解釈されるべきではなく、単に主題の技術の異なる例および態様を説明するものとして解釈されるべきである。主題の技術の範囲は、上記で詳細に論じられていない他の実施形態を含むことを理解されたい。本開示の範囲を逸脱することなく、本明細書に開示される主題の技術の方法および装置の配置、動作および詳細において、様々な他の修正、変更および改変がなされ得る。別様に表されない限り、単数形の要素への言及は、明示的に述べられていない限り、「１つおよび１つだけの」を意味するものではなく、「１つまたは複数」を意味することが意図されている。加えて、本開示の範囲内に包含されるために、デバイスまたは方法が、本開示の異なる実施形態によって解決可能であるあらゆる問題に対処する（または達成可能であるあらゆる利点を有する）必要はない。本明細書における「できる（ｃａｎ）」およびその派生語の使用は、肯定的な能力とは反対に「可能な」または「任意選択的に」の意味で理解されるべきである。
【図１】
2021502161.tif 000003
【図２】
2021502161.tif 000004
【図３】
2021502161.tif 000005
【図４】
2021502161.tif 000006
【図５】
2021502161.tif 000007
【図６Ａ】
2021502161.tif 000008
【図６Ｂ】
2021502161.tif 000009
【図７】
2021502161.tif 000010
【図８】
2021502161.tif 000011
【図９】
2021502161.tif 000012
【図１０】
2021502161.tif 000013
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
ハウジングであって、キャビティ、前記キャビティから前記ハウジングの外面に延びる通気通路、および前記キャビティから前記ハウジングの第１の部分を通って前記ハウジングの前記外面に延びる第１のチューブ通路を備えるハウジングと、
前記ハウジングの第２の部分に接続されたキャップであって、前記キャビティから前記キャップの外面を通って延びる第２のチューブ通路を備えるキャップと、
第１の開口部と第２の開口部との間に延びる通路を備える拡張可能なリザーバであって、（ｉ）前記第１の開口部が前記第１のチューブ通路と整列して流体接続し、（ｉｉ）前記第２の開口部が前記第２のチューブ通路と整列して流体接続した状態で前記キャビティ内に位置決めされる拡張可能なリザーバと
を備える、圧力スパイク吸収システム。
【請求項２】
前記ハウジングは、前記キャビティから前記第１のチューブ通路に向かって延びる第１の保持ボアを備え、前記キャップは、前記キャビティから前記第２のチューブ通路に向かって延びる第２の保持ボアを備える、請求項１に記載の圧力スパイク吸収システム。
【請求項３】
前記第１の開口部を備える前記拡張可能なリザーバの第１の部分は、前記第１の保持ボアに位置決めされ、前記第２の開口部を備える前記拡張可能なリザーバの第２の部分は、前記第２の保持ボアに位置決めされ、前記第１および第２の部分との間の前記拡張可能なリザーバの第３の部分は、前記キャビティ内に位置決めされる、請求項２に記載の圧力スパイク吸収システム。
【請求項４】
前記キャビティは、前記ハウジングの前記第２の部分を通って前記ハウジングの前記第１の部分に向かって延びる、請求項１に記載の圧力スパイク吸収システム。
【請求項５】
前記ハウジングの内面は、前記キャビティから前記第１のチューブ通路に向かって先細になる断面幅を含む、請求項１に記載の圧力スパイク吸収システム。
【請求項６】
前記キャップの内面は、前記キャビティから前記第２のチューブ通路に向かって先細になる断面幅を含む、請求項１に記載の圧力スパイク吸収システム。
【請求項７】
前記キャップは、第１の端部分と、第２の端部分とを備え、前記第２の端部分は、前記ハウジングの前記キャビティに位置決めされる、請求項１に記載の圧力スパイク吸収システム。
【請求項８】
前記拡張可能なリザーバに流体接続された流量制御弁を備える、請求項１に記載の圧力スパイク吸収システム。
【請求項９】
アクセスポートおよび出口ポートを有する静脈内チューブと、
ハウジングであって、キャビティ、前記キャビティから前記ハウジングの外面に延びる通気通路、前記キャビティから前記ハウジングの第１の部分を通って延びる第１のチューブ通路、および前記キャビティから前記ハウジングの第２の部分を通って延びる第２のチューブ通路を備えるハウジングと、
第１の開口部、第２の開口部、および前記第１および第２の開口部の間に延びる通路を備える拡張可能なリザーバであって、前記第１の開口部が前記アクセスポートと流体接続し、前記第２の開口部が前記出口ポートと流体接続した状態で前記キャビティ内に位置決めされる拡張可能なリザーバと
を備え、
流体が前記アクセスポートを通して注入されると、前記流体は、前記通路に向けられ、前記拡張可能なリザーバを非拘束配向から拡張配向に向かって移動させる、
圧力スパイク吸収システム。
【請求項１０】
前記拡張可能なリザーバの外面は、前記非拘束配向で前記ハウジングの内面から離間している、請求項９に記載の圧力スパイク吸収システム。
【請求項１１】
前記拡張可能なリザーバの外面は、前記拡張配向で前記ハウジングの内面に対して係合する、請求項９に記載の圧力スパイク吸収システム。
【請求項１２】
前記拡張可能なリザーバが前記拡張配向から前記非拘束配向に向かって移動するとき、前記流体は、前記通路から前記出口ポートに向かって向けられる、請求項９に記載の圧力スパイク吸収システム。
【請求項１３】
前記キャビティと前記第１のチューブ通路との間に延びる第１の保持ボアと、前記キャビティと前記第２のチューブ通路との間に延びる第２の保持ボアとを備える、請求項９に記載の圧力スパイク吸収システム。
【請求項１４】
前記非拘束配向および前記拡張配向において、前記第１の開口部を備える前記拡張可能なリザーバの第１の部分は、前記第１の保持ボアに位置決めされ、前記第２の開口部を備える前記拡張可能なリザーバの第２の部分は、前記第２の保持ボアに位置決めされ、前記第１および第２の部分の間の前記拡張可能なリザーバの第３の部分は、前記キャビティ内に位置決めされる、請求項１３に記載の圧力スパイク吸収システム。
【請求項１５】
第１の端部分、第２の端部分を有するキャップを備え、前記第２の保持ボア、および前記第２のチューブ通路は、前記キャップを通って延びる、請求項１３に記載の圧力スパイク吸収システム。
【請求項１６】
前記第２の端部分は、前記ハウジングの前記キャビティ内に延びるように構成される、請求項１５に記載の圧力スパイク吸収システム。
【請求項１７】
前記拡張可能なリザーバの前記通路は、前記非拘束配向における第１の容積と、前記拡張配向における前記第１の容積よりも大きい第２の容積とを含む、請求項９に記載の圧力スパイク吸収システム。
【請求項１８】
前記アクセスポートと前記拡張可能なリザーバとの間に接続された流量制御弁を備え、前記流量制御弁は、前記拡張可能なリザーバから前記アクセスポートに向かう流体の移動に抵抗する、請求項９に記載の圧力スパイク吸収システム。
【請求項１９】
前記通気通路は、前記拡張可能なリザーバが前記非拘束配向から前記拡張配向に向かって移動するときにガスが前記キャビティの外に移動することを可能にし、前記拡張可能なリザーバが前記拡張配向から前記非拘束配向に向かって移動するときにガスが前記キャビティ内に移動することを可能にするように構成される、請求項９に記載の圧力スパイク吸収システム。
【国際調査報告】
2021502161.tif 000014
2021502161.tif 000015
2021502161.tif 000016